(57)【要約】【課題】  入浴時における健康促進の効果を向上させる。【解決手段】  ラジウム鉱石の粉砕物を内装材の内部に配する（請求項１）。内装材の主原材料またはバインダーにラジウム鉱石を添加すると、ラジウム鉱石から半永久的に放出される希ガスの一種であるラドン（Ｒｎ；原子番号８６）が気密性の高い浴室内に拡散充満し、入浴者は呼吸器系を通して体内に吸引する。ラドンは、呼吸器系から体内に入って心身の鎮静効果やホルモンの分泌作用を促す。ラドンのような放射性物質は、わずかな量を身体に受けても害はなく、むしろ免疫機能を高める等の、いわゆるホルミーシス効果があるとされる。【選択図】    図１
0003124319.tif 000002
【実用新案登録請求の範囲】
【請求項１】
ラジウム鉱石の粉砕物を内部に備える浴室用の内装材。
【請求項２】
内装材は、加熱成形したタイル板であることを特徴とする請求項１記載の浴室用の内装材。
【請求項３】
シリカ、麦飯石、トルマリンのうち少なくとも一の粉砕物を内部に備えることを特徴とする請求項１または請求項２記載の浴室用の内装材。
【考案の詳細な説明】
【技術分野】
【０００１】
本考案は、浴室の内壁、天井、床、天井、および浴槽等に用いる浴室用の内装材に関する。
【背景技術】
【０００２】
健康増進や美容目的のため、近時、浴室の環境を改善するための工夫がなされている。例えば、各種の入浴材である。その多くは浴槽内の湯に入れて溶かすタイプのものであり、各地の有名な温泉の成分を模したもの、独特の芳香をもつもの、或いは浄水効果に優れるもの等、さまざまなタイプのものがある。湯に溶けるタイプの入浴材であって、芳香や水の浄化を営むものとしては、例えば特許文献１がある。
【０００３】
一方、非溶解性の入浴材の提案もみられる。例えばヒバ材を用いたもの（特許文献２）、ウコンを用いたもの（特許文献３）、水晶およびセラミックを用いるもの（特許文献４）等である。ヒバ材は芳香性に優れ、ウコンは保温性と水の活性化に優れ、水晶およびセラミックを用いた入浴材は温熱効果、浄水、抗菌の作用があるとされる。
【特許文献１】特開２００２−２７５０５１号
【特許文献２】特開平０８−１９８７４２号
【特許文献３】特開平１１−２２８３８５号
【特許文献４】特開平０６−１８３９５１号
【考案の開示】
【考案が解決しようとする課題】
【０００４】
従来の入浴材は、溶解性の入浴材がもつ芳香、浄水、抗菌等の効能は、市場における一般受容者の評価も高く、本考案において改善すべき余地はない。
【０００５】
しかしながら、一般住宅、公衆浴場、サウナ施設、岩盤浴用の浴室等、各種の浴室の内装材は、耐水性のあるタイルを用いることが多いが、浴槽に入浴材を入れる効果と相俟って、健康増進や美容目的のた、浴室内空間の環境をさらに好ましい状態へと改善する余地を残している。
【０００６】
従来の入浴材は、浴槽内の水の浄水や抗菌作用を主たる目的とし、芳香を副次的な役割として与えていた。芳香性は、呼吸器系から体内に入って精神の鎮静効果を営むなど一定の効果は認められるが、幼児や臭いに敏感な人のなかには人工的な芳香成分の臭いを嫌う場合もある。
【０００７】
そこで本考案は、浴室空間内に、健康促進の効果を実現することのできる無臭の効能成分を半永久的に放出する内装材を提供することを目的とする。
【課題を解決するための手段】
【０００８】
前記目的を達成するため、本考案に係る浴室用の内装材は、主原材料または主原材料のバインダーに、破砕したラジウム鉱石をする（請求項１）。主原材料は金属、樹脂、セメント、粘土など種類を問わないが、当該主原材料にラジウム鉱石を添加しても良いし、セメントや、繊維状または粒状の樹脂素材等のバインダー（連結材；接着剤）の中にラジウム鉱石を添加しても良い。また、内装材は、粘土にラジウム鉱石を添加して加熱成形したタイルとする場合がある（請求項２）。
【０００９】
請求項１のように、内装材の主原材料またはバインダーにラジウム鉱石を添加すると、内装材に含まれるラジウム鉱石から半永久的に放出される希ガスの一種であるラドン（Ｒｎ；原子番号８６）が浴室内を満たし、入浴者は呼吸器系を通してそれを体内に吸引する。ラドンは、呼吸器系から体内に入って心身の鎮静効果やホルモンの分泌作用を促す。ラドンのような放射性物質は、わずかな量を身体に受けても害はなく、むしろ免疫機能を高める等の、いわゆるホルミーシス効果があるとされる（米国保健物理学会誌；1982年12月号）。
【００１０】
浴室用の内装材の主原料材は、難錆金属、樹脂、木質、セメントなど種類を問わない。しかしながら、請求項２に記載したように粘土を加熱成形したタイルとすれば、浴室に普通に用いられる内装材として抵抗感なく受け入れられる可能性をもつ。耐久性の点でも問題はないし、経年劣化や破損が少ないからである。
【００１１】
ラジウム鉱石が発生するラドンの放出効果は、主原料を粘土とした場合でも他の材質に遜色がない。むしろ、金属材料や樹脂材料ににラジウム鉱石を添加するよりも、ガスの放出性が増すため好ましい効能を得やすい。
【００１２】
請求項３は、ラジウム鉱石を添加した原料（主原料または主原料のバインダー）に、シリカ、麦飯石、トルマリンのうち少なくとも一を破砕して添加する。シリカ、麦飯石、トルマリンはいずれも遠赤外線の放出作用を営むだけでなく、マイナスイオンの発生に寄与する。マイナスイオンは、プラスイオンである空気中の成分が浄化された効果（いわゆるレナード効果）をもち、マイナスイオンに満ちた浴室内の空気を呼吸することによって入浴者は自然と血圧が低下し、副交感神経が活性化する。
【考案の効果】
【００１３】
本考案に係る内装材によれば、ラジウム鉱石から放出されるラドンが気密性の高い浴室に拡散され、入浴している者は呼吸を通してラドンを体内に吸収する機会を得る。この結果、ラドン浴の効果、すなわち心身の鎮静効果やホルモンの分泌促進による免疫力の向上効果を得る。
【考案を実施するための最良の形態】
【００１４】
図１は、本考案に係る浴室用の内装材、例えば壁面や床面に配設できるタイル１０を例示するものである。このタイル１０は、例えば平面方形の板状をなし、主原料となる粘土１１に破砕したラジウム鉱石１２を混ぜ込んで焼き固めて成形したタイルである。タイル１０は、例えば貼着等の手段によって浴室の壁面や床面に配設する。また、このタイル１０は、浴槽の内面に貼着する化粧タイルとして利用しても良い。
【００１５】
主原料となる粘土１１は、タイルの成形に用いられる普通の土材（粘土）であって構わない。ラジウム鉱石１２は、細かい粒子に破砕しても放出するラドンの量に影響がないため、好ましくは粉末状に破砕して主原料となる粘土１１に混入させる。なお、図１ではラジウム鉱石１２の粉砕物を粒状にして示したが、微細な粉状の粉砕物を用いることが望ましい。
【００１６】
ラジウム鉱石１２は、例えば、５ベクレル〜３７０ベクレル程度の範囲のものを用いる。好ましくは、０．１マイクロシーベルト〜２．７マイクロシーベルトの放射線を発生するラジウム鉱石である。
【００１７】
ラジウム鉱石１２は、重量比で全体の１０％以下の配合比率とすることが望ましい。ラドン鉱石は高価であるし入手しにくいためである。例えば、主原料となる粘土１１の重量に対して１％〜１０％程度のラジウム鉱石を加えるだけでも確実で半永久的な効能を得る。
【００１８】
従って、かかるタイル１０によれば、主原料となる粘土１１に混ぜ込んだラジウム鉱石１２が希ガスであるラドンを常に放出する。入浴時には、浴室の壁面や床面から放出されるラドンが浴室内に拡散するから、入浴者は、呼吸を通してラドンガスを体内に吸収する。その効果は概略次の通りである。
【００１９】
人体に対するラドンの効果は研究途上にあるが、日本におけるラドンの研究としては、例えば、古元嘉昭・岡山大学教授（現名誉教授）らによる実験が知られている。この実験は、鳥取県の三朝温泉に近い池田鉱泉水においてウサギにラドンを吸入させたもので、その結果として、インシュリン、メチオニンエンケファリン、ベータエンドルフィン、アドレナリンなどのホルモンの分泌の増加が確認された。インシュリンは糖分代謝、メチオニンエンケファリンは鎮痛、ベータエンドルフィンは爽快感、アドレナリンは積極行動などに寄与するとされるホルモンである。この実験をみると、ラドン浴の効果は、湯煙に含まれるラドン（希ガス）を呼吸によって体内に取り込んだときに生ずる、ある種のホルモンの分泌の増加と密接に関係すると考えられる。
【００２０】
微量である限り、放射線が人体組織に好ましい効果を与えることは、ガン治療におけるエックス線の照射治療によって知られる。奈良県立医科大学の大西武雄氏がおこなった実験によれば、マウスの全身に少しの放射線を当てた後、６時間以上経過した後には、がん抑制遺伝子ｐ５３の作るタンパクがマウスのあらゆる臓器内の細胞で飛躍的に増加した。放射線は、呼吸器系を通した作用ばかりでなく、それが多量でない限りは人体に対して直接の効果をもつ。マウスを使った微量放射線の照射実験では、ＳＯＤ（スーパーオキサイドディスムターゼ）あるいはＧＰｘ（グルタチオンペルオキシダーゼ）といった酵素が飛躍的に増加することが知られている。ラジウム鉱石１２を含むタイル１０から放出される放射線も、呼吸器系を通さない人体への良好な直接効果をもち得る。
【００２１】
本考案に係る浴室用の内装材は、原料にラジウム鉱石を添加するだけでなく、ラジウム鉱石とは異なる機能成分を与えるため、遠赤外線の放出効果をもつ石材、例えば、いわゆる北海道産のブラックシリカとして知られるシリカ鉱石、あるいは麦飯石の破砕物（例えば粉末状のもの）を副次的な原料として混入させても良い。これらの鉱石成分は遠赤外線（輻射熱）の放出性能に優れ、湯温の設定温度を過剰に高くしなくても心地よく身体を温めるため、心臓に過度の負担をかけずに身体を温めて発汗作用を促す効果がある。
【００２２】
また内装材の主原料にトルマリン鉱石の破砕物を混入してもよい。トルマリンは、いわゆるマイナスイオンによる血液や体液の浄化の効果がある。内装材に用いる場合は、浴室内の空気をマイナスイオンに与える効果をもち、浴室内に充満するマイナスイオン粒子が呼吸器系を通して人体に吸収されることによって、心身をリフレッシュさせる効果（血圧の低下作用等）を奏する。なおブラックシリカも同様の効果をもつ。
【００２３】
本考案に係る浴室用の内装材の形状は、方形の板状に限らない。板状とする場合は多角形でも円形でも良い。また煉瓦のように立方体に成形しても良い。形状がどうあれ、ラジウム鉱石を内部に備える内装材からはラドンが常時放出されるからである。
【００２４】
また、本考案に係る浴室用の内装材の主原料は、壊れにくく耐久性に優れるものであればよい。粘土を用いたタイルに限らず、例えばセメント（モルタル）、樹脂、難錆金属、および木質系の材料を使用できる。また玉砂利のような小さな原料を適宜のバインダー（例えばモルタル）によって固めたものでもよい。この場合は原料（例えば玉砂利）を繋ぎあわせるバインダー（接着素材）に破砕したラジウム鉱石を加えればよい。シリカ鉱石、麦飯石、トルマリン鉱石等の副次的な効能成分を添加する場合も同じである。壁材、床材のほか天井材に適用して良いことは勿論である。
【図面の簡単な説明】
【００２５】
【図１】本考案に係る内装材を例示する斜視図である。
【符号の説明】
【００２６】
１０  タイル
１１  粘土
１２  ラジウム鉱石
【図１】
0003124319.tif 000003
【手続補正書】
【提出日】平成18年3月6日(2006.3.6)
【手続補正１】
【補正対象書類名】実用新案登録請求の範囲
【補正対象項目名】全文
【補正方法】変更
【補正の内容】
【実用新案登録請求の範囲】
【請求項１】
０．１マイクロシーベルト〜２．７マイクロシーベルトの放射線を発生するラジウム鉱石の粉砕物を内部に備える浴室用の内装材。
【請求項２】
内装材は、加熱成形したタイル板であることを特徴とする請求項１記載の浴室用の内装材。
【請求項３】
０．１マイクロシーベルト〜２．７マイクロシーベルトの放射線を発生するラジウム鉱石の粉砕物を内部に備える一方、シリカ、麦飯石、トルマリンのうち少なくとも一の粉砕物を内部に備えることを特徴とする請求項１または請求項２記載の浴室用の内装材。
【手続補正書】
【提出日】平成18年6月12日(2006.6.12)
【手続補正１】
【補正対象書類名】実用新案登録請求の範囲
【補正対象項目名】全文
【補正方法】変更
【補正の内容】
【実用新案登録請求の範囲】
【請求項１】
０．１マイクロシーベルト〜２．７マイクロシーベルトの放射線を発生するラジウム鉱石の粉砕物を内部に備える板状またはブロック状の浴室用の内装材。
【請求項２】
内装材は、加熱成形したタイル板であることを特徴とする請求項１記載の浴室用の内装材。
【請求項３】
０．１マイクロシーベルト〜２．７マイクロシーベルトの放射線を発生するラジウム鉱石の粉砕物を内部に備える一方、シリカ、麦飯石、トルマリンのうち少なくとも一の粉砕物を内部に備えることを特徴とする請求項１または請求項２記載の浴室用の内装材。